(57)【要約】      （修正有）【課題】外部からの水や火や熱が内部に侵入することを良好に防止できる新規な構造のハット型ジョイナーとそれを用いた外壁材の継目部分の取付け施工法の提供。【解決手段】翼片部１１の先端１２が外壁材３の内側に当接して存在しているために、シーリング材２が一部で切れて破損等した場合でも、翼片部１１と先端部１２と外壁裏面とで形成される空間Ｓ1に浸入した水は、垂直方向の流路としての空間Ｓ1を通り排出される。また、外部からの熱が、翼片部１１と先端部１２と外壁裏面とで形成される空間Ｓ1に進入するが、先端部１２が存在していることにより、壁体内空間Ｓ2への熱の直接的な進入を防止することができる。従って、本発明のハット型ジョイナーを用いれば、外壁外部から、水や火や熱が、シーリング部分（外壁材の継目部分）を通って壁体内部に進入（浸入）することを効果的に防止する。【選択図】図２
2007070842.tif 000002
【特許請求の範囲】
【請求項１】
建築物外壁材の継目箇所の内側に用いられるハット型ジョイナーであり、ハット状中央凸部と、該ハット状中央凸部から左右に延びる翼片部とからなり、該翼片部の先端は、前記ハット状中央凸部の高さ方向に矩形に屈曲して延び、屈曲先端部は前記建築物外壁材に当接されて施工されるものであることを特徴とするハット型ジョイナー。
【請求項２】
ハット状中央凸部と翼片部と建築物外壁材とで囲まれて形成される空間部のハット型ジョイナー長さ方向に直角な方向の両側空間部合計断面積が４０〜１２０００ｍｍ2 であることを特徴とする請求項１記載のハット型ジョイナー。
【請求項３】
建築物外壁材の継目箇所の内側にハット型ジョイナーを使用して外壁材を建築物に取り付け施工するに際して、ハット状中央凸部と、該ハット状中央凸部から左右に延びる翼片部とからなり、該翼片部の先端が前記ハット状中央凸部の高さ方向に矩形に屈曲して延びる構造を有するハット型ジョイナーを用いて、該屈曲先端部を建築物外壁材に当接させて施工することを特徴とする外壁材の継目部分の取付け施工法。
【発明の詳細な説明】
【技術分野】
【０００１】
本発明は、建築物の外壁材の継目に用いられる新規な構造を有したハット型ジョイナーと、該ハット型ジョイナーを用いた外壁材の取付け施工法に関する。
【背景技術】
【０００２】
従来、建築物の外壁を取付け施工するに際して、外壁材の継目部分の空間部（突き合わせ部の間隙部）にはシーリング材を充填して、更に、該シーリング材の内側にはハット型ジョイナーを使用して該シーリング材の、いわば、バックアップ材としての役割を該ハット型ジョイナーに負わせていた。
【０００３】
図３に、従来のハット型ジョイナーの代表的な形状例をモデル的に示した概略モデル正面図であり、従来のハット型ジョイナー１は、ハット状中央凸部１０とハット底部から左右に延びる翼片部１１を有するものである。
【０００４】
該ハット型ジョイナー１は、通常は、ガルバリウム鋼板などの鋼板から成形されてなり、鋼板厚さは０．２ｍｍ〜１ｍｍ程度であり、該ジョイナーは地面に垂直な方向下に使用されるのが通常であり、ワン・フロア分の長さで約３ｍ〜４ｍの真っすぐなものが一般的なものである。形状は、翼片部１１が左右になく、一方側にのみ存在するものもあり、また、翼片部１１の先端部はプレーンなままであるのが通常であり、安全のために先端部が少し反るようにされていたりあるいはアール（丸み）が付けられている。
【０００５】
このようなハット型ジョイナー１は、その使われ方は、図４にモデルを示したように、建築物の外壁材３、３の継目部分において、シーリング材２の背後に使用される。
【０００６】
ハット型ジョイナーのハット状中央凸部の幅は、外壁材３、３の継目部分における間隙幅とほぼ等しいものである。図４において、４はＣ型鋼柱であり、５はいわゆるハウスラップと呼ばれる透湿防水シート等であり、図３に示したような形状のハット型ジョイナーを、図４に示したように外壁材の継目部分に使用することが提案され（特許文献１−３）、使用されてきている。
【０００７】
なお、図示したＣ型鋼柱４の位置において、木製の柱などが用いられるケースもあり、本発明にかかるハット型ジョイナーの場合も、そのような態様で使用される場合もあるものである。
【０００８】
しかし、このような外壁材の継目部分においての、外部からの水や火や熱が内部に侵入することを防止することは、いまだ改善の余地があるものであり、特に、シーリング材が施工後に永年を経ることにより、該シーリング材が脆化・劣化してシーリング材としての効果が乏しくなった場合には、図３に示したような形状のハット型ジョイナーだけでは、十分な効果を発揮することは難しかった。
【特許文献１】実公平７−１８８０７号公報
【特許文献２】特開平７−３１７２７０号公報
【特許文献３】特開平７−１８０３１８号公報
【発明の開示】
【発明が解決しようとする課題】
【０００９】
本発明の目的は、上述したような点に鑑み、図４に示したような従来からのハット型ジョイナーの使用の仕方をほぼそのまま踏襲しながら、シーリング材の使用が永年を経ることにより脆化・劣化してシーリング効果が乏しくなった場合にも、外部からの水や火や熱が内部に侵入することを良好に防止できる新規な構造のハット型ジョイナーと該ハット型ジョイナーを用いた外壁材の継目部分の取付け施工法を提供せんとするものである。
【課題を解決するための手段】
【００１０】
上述した目的を達成する本発明のハット型ジョイナーは、以下の(1) の構成を有するものである。
（１）建築物外壁材の継目箇所の内側に用いられるハット型ジョイナーであり、ハット状中央凸部と、該ハット状中央凸部から左右に延びる翼片部とからなり、該翼片部の先端は、前記ハット状中央凸部の高さ方向に矩形に屈曲して延び、屈曲先端部は前記建築物外壁材に当接されて施工されるものであることを特徴とするハット型ジョイナー。
【００１１】
また、かかる本発明のハット型ジョイナーにおいて、より具体的に好ましくは、以下の(2) の構成を有するものである。
（２）ハット状中央凸部と翼片部と建築物外壁材とで囲まれて形成される空間部のハット型ジョイナー長さ方向に直角な方向の両側空間部合計断面積が４０〜１２０００ｍｍ2 であることを特徴とする上記(1) 記載のハット型ジョイナー。
【００１２】
また、上述した目的を達成する本発明の外壁材の継目部分の取付け施工法は、以下の(3) の構成を有するものである。
（３）建築物外壁材の継目箇所の内側にハット型ジョイナーを使用して外壁材を建築物に取り付け施工するに際して、ハット状中央凸部と、該ハット状中央凸部から左右に延びる翼片部とからなり、該翼片部の先端が前記ハット状中央凸部の高さ方向に矩形に屈曲して延びる構造を有するハット型ジョイナーを用いて、該屈曲先端部を建築物外壁材に当接させて施工することを特徴とする外壁材の繋ぎ目部分の取付け施工法。
【発明の効果】
【００１３】
請求項１にかかる本発明によれば、従来からのハット型ジョイナーの使用の仕方をほぼそのまま踏襲しながら、シーリング材の使用が永年を経ることにより脆化・劣化してシーリング効果が乏しくなった場合にも、外部からの水や火や熱が内部に進入（侵入）することを良好に防止できる新規な構造のハット型ジョイナーが提供されるものである。
【００１４】
請求項３にかかる本発明によれば、従来からのハット型ジョイナーの使用の仕方をほぼそのまま踏襲しながら、シーリング材の使用が永年を経ることにより脆化・劣化してシーリング効果が乏しくなった場合にも外部からの水や火や熱が内部に侵入することを良好に防止できる新規なハット型ジョイナーを用いた外壁材の継目部分の取付け施工法が提供されるものである。
【発明を実施するための最良の形態】
【００１５】
以下、更に詳しく本発明にかかるハット型ジョイナーについて、説明する。
図１は、本発明にかかるハット型ジョイナーの代表的な形状例をモデル的に示した概略モデル正面図であり、建築物外壁材の継目箇所の内側に用いられる本発明のハット型ジョイナー１は、ハット状中央凸部１０と、該ハット状中央凸部から左右に延びる翼片部１１とからなり、該翼片部１１の先端１２は、前記ハット状中央凸部１０の高さ方向に矩形に屈曲して延び、屈曲先端部１２は前記建築物外壁材に当接されて施工されるものである。
【００１６】
図２（ａ）、（ｂ）は、図１に示した本発明にかかるハット型ジョイナーの使い方とその機能を説明する概略モデル正面図であり、図２（ａ）に示したように、屈曲先端部１２は建築物外壁材３の内側に当接されて取付け施工されている。
【００１７】
このようにして本発明にかかるハット型ジョイナーが用いられて施工されていると、図２（ａ）に示したように、ハット型ジョイナー１が存在しているため、特に、翼片部１１の先端１２が外壁材３の内側に当接して存在しているために、シーリング材が一部で切れて破損等した場合でも、水などが外壁裏面と下地との間に存在する空間Ｓ2 まで浸入していくことを防止することができるとともに、翼片部１１と先端部１２と外壁裏面とで形成される空間Ｓ1 に浸入した水は、先端部１２を超えて空間Ｓ2 まで浸入することができず、垂直方向の流路としての空間Ｓ1 を通り排出されることとなる。
【００１８】
また、過酷な火炎に外壁が晒された場合には、外壁材が収縮し、シーリング材も燃えてなくなってしまうことが発生し、図２（ｂ）に示したように、外部からの熱が、翼片部１１と先端部１２と外壁裏面とで形成される空間Ｓ1 に進入するが、先端部１２が存在していることにより、壁体内空間Ｓ2 への熱の直接的な進入を防止することができることになる。従って、本発明のハット型ジョイナーを用いれば、外壁外部から、水や火や熱が、シーリング部分（外壁材の継目部分）を通って壁体内部に進入（浸入）することを効果的に防止することができる。
【００１９】
本発明の効果を良好に発揮させる上で、ハット型ジョイナーの寸法を最適な範囲内にすることは重要であり、本発明者らの各種知見によれば、図５に示したように、ハット状中央凸部１０の高さＨ1 は、一般に２〜４０ｍｍの範囲内とすることが好ましく、より好ましくは４〜３０ｍｍの範囲内であり、屈曲先端部１２の高さＨ2 は、一般に１〜３０ｍｍの範囲内とすることが好ましく、より好ましくは２〜２０ｍｍの範囲内である。
翼片部１１の長さＷは、一般に１５〜２００ｍｍの範囲内とすることが好ましく、より好ましくは５０〜１００ｍｍの範囲内とすることである。
【００２０】
また、ハット状中央凸部と翼片部と建築物外壁材とで囲まれて形成される空間部のハット型ジョイナー長さ方向に直角な方向の空間部断面積（図５の一点鎖線ハッチング部の面積）１３は、２０〜６０００ｍｍ2 で（左右両側の合計ではこの２倍（４０〜１２０００ｍｍ2 ）となる）あることが、水などの排出流路を形成する上で効果的であり好ましい。
【００２１】
本発明にかかるハット型ジョイナーの材質等は、従来から使用されているガルバリウム鋼板などの鋼板から成形されていれば良く、鋼板厚さは０．２ｍｍ〜１ｍｍ程度が好ましいが、本発明の効果を大きくする意味で、厚さなどをより厚くしてもよい。
【００２２】
本発明にかかるハット型ジョイナーを使用して外壁材を建築物に取り付け施工するに際しては、翼片部の屈曲先端部が建築物外壁材の内面に当接させて施工することが重要である。当接せずに、隙間が存在して施工されていると、該隙間部分から水や熱が入り込み、上述した本発明の効果を得ることができないからである。
【図面の簡単な説明】
【００２３】
【図１】図１は、本発明にかかるハット型ジョイナーの代表的な形状例をモデル的に示した概略モデル正面図である。
【図２】図２（ａ）、（ｂ）は、図１に示した本発明にかかるハット型ジョイナーの使い方とその機能を説明する概略モデル正面図である。
【図３】図３は、従来のハット型ジョイナーの代表的な形状例をモデル的に示した概略モデル正面図である。
【図４】図４は、図３に示した従来のハット型ジョイナーの使われ方を説明する概略モデル正面図である。
【図５】図５は、図１に示した本発明にかかるハット型ジョイナーの代表的な形状例に関して、その寸法の好ましい範囲を説明するためにモデル的に示した概略モデル正面図である。
【符号の説明】
【００２４】
１：ハット型ジョイナー
２：シーリング材
３：外壁材
４：Ｃ型鋼柱
５：透湿防水シート
１０：ハット状中央凸部
１１：翼片部
１２：翼片部の先端
１３：ハット状中央凸部と翼片部と建築物外壁材とで囲まれて形成される空間部のハット型ジョイナー長さ方向に直角な方向の空間部断面積
Ｈ1 ：ハット状中央凸部１０の高さ
Ｈ2 ：屈曲先端部１２の高さ
Ｗ：翼片部の長さ
Ｓ1 ：翼片部１１と翼片部先端部１２と外壁裏面とで形成される空間
Ｓ2 ：外壁裏面と下地との間に存在する空間
【図１】
2007070842.tif 000003
【図２】
2007070842.tif 000004
【図３】
2007070842.tif 000005
【図４】
2007070842.tif 000006
【図５】
2007070842.tif 000007